(57)【要約】【課題】簡易な構成で、基板等の検査対象を容易に検査可能な携帯型電話機を提供する。【解決手段】ペン型形状を有する携帯型電話機１０であって、レンズ１１７１を有し、被写体をレンズ１１７１によって拡大することにより得られる当該被写体の像を画像データとして記憶装置１２に格納する第１撮像部２０と、格納した画像データを、無線にてパーソナルコンピュータに送信する通信部４０とを備え、ペン先に相当する先端部にレンズ１１７１を有し、レンズ１１７１の光軸の方向と携帯型電話機１０の長手方向とが同一方向である。【選択図】図５
2011130075.tif 000002
【特許請求の範囲】
【請求項１】
ペン型形状を有する電子機器であって、
レンズを有し、被写体を当該レンズによって拡大することにより得られる当該被写体の像を画像データとして記憶装置に格納する第１撮像手段と、
前記格納した画像データを、無線にて情報処理装置に送信する通信手段とを備え、
ペン先に相当する先端部に前記レンズを有し、当該レンズの光軸の方向と前記電子機器の長手方向とが同一方向である、電子機器。
【請求項２】
マイクロフォンと、
前記電子機器の本体部に電気コードで接続されたイヤホンとをさらに備え、
前記マイクロフォンおよび前記イヤホンは、前記電子機器の後端部側に配され、
前記電気コードは、前記本体部に収納可能であり、
前記イヤホンは、前記本体部に対して着脱可能である、請求項１に記載の電子機器。
【請求項３】
前記本体部に第２撮像手段をさらに備える、請求項２に記載の電子機器。
【請求項４】
前記電子機器は携帯型電話機であって、
前記後端部側にクリップ部をさらに備え、
前記クリップ部は、基地局と通信を行なうためのアンテナと無線ＬＡＮ用のアンテナとを内蔵し、
前記通信手段は、前記無線ＬＡＮ用のアンテナを介して無線ＬＡＮにより前記画像データを前記情報処理装置に送信する、請求項２または３に記載の電子機器。
【請求項５】
前記電子機器は、
前記本体部にタッチパネルディスプレイをさらに備え、
前記タッチパネルディププレイに対する入力に基づき、前記第１撮像手段における撮像倍率の変更および前記第１撮像手段におけるピント合わせ処理のうち少なくとも１つを行なう、請求項２から４のいずれか１項に記載の電子機器。
【発明の詳細な説明】
【技術分野】
【０００１】
本発明は、電子機器に関する。特に、他の機器にデータを送信する携帯型電話機に関する。
【背景技術】
【０００２】
従来、携帯型電話機が知られている。特許文献１および特許文献２には、当該携帯型電話機として、ペン型の形状を有する携帯型電話機が開示されている。特許文献１の携帯型電話機は、第１本体の一端部にカメラが設けられている。
【０００３】
また、従来、回路基板を検査する検査システムが知られている。特許文献３には、当該検査システムとして、基板全体のマクロ検査を行なう第１基板検査装置と、第１基板検査装置の検査結果に基づいて基板のミクロ検査を行なう第２基板検査装置と、第１および第２基板検査装置が接続されるサーバと、第１基板検査装置及び第２基板検査装置とサーバの通信を行なう無線通信手段とを含む基板検査システムが開示されている。
【先行技術文献】
【特許文献】
【０００４】
【特許文献１】特開２００６−１２９０１７号公報
【特許文献２】特開平４−４００４６号公報
【特許文献３】特開２００８−８９３０６号公報
【発明の概要】
【発明が解決しようとする課題】
【０００５】
特許文献３の基板検査システムでは、スキャンステージにより基板を移動させ、マクロ検査用のカメラおよびミクロ検査用のカメラで基板を撮像する。したがって、基板検査システムは、サイズが大きくかつ構成が複雑にならざるを得ない。また、マクロ検査用のカメラおよびミクロ検査用のカメラは移動不能に固定されているため、ユーザが確認したい領域を即座に撮像することはできない。
【０００６】
特許文献１の携帯型電話機では、回路基板を検査するための高倍率の画像を取得することはできない。また、特許文献２の携帯型電話機は、撮像機能を備えていないため、回路基板を検査するための画像は取得できない。
【０００７】
本発明は、上記の問題点に鑑みなされたものであって、その目的は、簡易な構成で、基板等の検査対象を容易に検査可能な電子機器を提供することにある。
【課題を解決するための手段】
【０００８】
本発明のある局面に従うと、電子機器は、ペン型形状を有する電子機器であって、レンズを有し、被写体を当該レンズによって拡大することにより得られる当該被写体の像を画像データとして記憶装置に格納する第１撮像手段と、格納した画像データを、無線にて情報処理装置に送信する通信手段とを備え、ペン先に相当する先端部にレンズを有し、当該レンズの光軸の方向と電子機器の長手方向とが同一方向である。
【０００９】
好ましくは、電子機器は、マイクロフォンと、電子機器の本体部に電気コードで接続されたイヤホンとをさらに備え、マイクロフォンおよびイヤホンは、電子機器の後端部側に配され、電気コードは、本体部に収納可能であり、イヤホンは、本体部に対して着脱可能である。
【００１０】
好ましくは、電子機器は、本体部に第２撮像手段をさらに備える。
好ましくは、電子機器は、携帯型電話機である。電子機器は、後端部側にクリップ部をさらに備える。クリップ部は、基地局と通信を行なうためのアンテナと無線ＬＡＮ用のアンテナとを内蔵する。通信手段は、無線ＬＡＮ用のアンテナを介して無線ＬＡＮにより画像データを情報処理装置に送信する。
【００１１】
好ましくは、電子機器は、本体部にタッチパネルディスプレイをさらに備える。タッチパネルディスプレイに対する入力に基づき、第１撮像手段における撮像倍率の変更および第１撮像手段におけるピント合わせ処理のうち少なくとも１つを行なう。
【発明の効果】
【００１２】
上記電子機器によれば、簡易な構成で、基板等の検査対象を容易に検査可能となる。
【図面の簡単な説明】
【００１３】
【図１】検査システムの構成を説明するための図である。
【図２】携帯型電話機のハードウェア構成を示した図である。
【図３】携帯型電話機の外観を示した図である。
【図４】クリップ部の拡大図である。
【図５】携帯型電話機のブロックをより詳しく説明するための図である。
【図６】携帯型電話機における処理の流れを示したフローチャートである。
【発明を実施するための形態】
【００１４】
以下、図面を参照しつつ、本発明の実施の形態に係る携帯型電話機および当該携帯型電話機を含む検査システムについて説明する。以下の説明では、同一の部品には同一の符号を付してある。それらの名称および機能も同じである。したがって、それらについての詳細な説明は繰り返さない。
【００１５】
＜通信システムの概要＞
図１は、検査システム１の構成を説明するための図である。図１を参照して、検査システム１は、携帯型電話機１０（電子機器）と、パーソナルコンピュータ８０（情報処理装置）とを備える。検査システム１は、回路基板９０の検査を行なうシステムである。回路基板９０は、複数の回路素子９１が配されている。携帯型電話機１０とパーソナルコンピュータ８０とは、無線ＬＡＮ（Local Area Network）にて互いに通信可能に接続されている。
【００１６】
携帯型電話機１０は、ペン型の形状を有する。携帯型電話機１０は、ユーザの操作に基づき、回路基板の表面を撮像する。携帯型電話機１０は、当該撮像により得られた画像をパーソナルコンピュータ８０に送信する。
【００１７】
パーソナルコンピュータ８０は、携帯型電話機１０から送られた画像をディスプレイに表示する。パーソナルコンピュータ８０は、たとえば、回路素子９１の拡大画像９１Ｐをディスプレイに表示する。パーソナルコンピュータ８０は回路素子９１の拡大画像９１Ｐを表示するため、回路素子９１に断線部分がある場合、ユーザはパーソナルコンピュータ８０のディスプレイにおいて当該断線部分を画像９１Ｗとして確認できる。
【００１８】
このように、検査システム１は、マイクロスコープとしての機能を果たす。以下では、一例として、携帯型電話機１０が動画像をパーソナルコンピュータ８０に送信する構成について説明する。
【００１９】
＜携帯型電話機のハードウェア構成＞
図２は、携帯型電話機１０のハードウェア構成を示した図である。図２を参照して、携帯型電話機１０は、主たる構成要素として、ＣＰＵ１１０と、ＲＯＭ１１１と、ＲＡＭ１１２と、フラッシュメモリ１１３と、通信回路１１４と、無線ＬＡＮ通信回路１１５と、カメラ１１６と、検査用カメラ１１７と、マイクロフォン１１８と、操作キー１１９と、ＩＣ（Integrated Circuit）カードリーダライタ１２０と、イヤホン１２１と、スピーカ１２２と、タッチパネルディスプレイ１２３と、アンテナ１２４と、アンテナ１２５とを含む。タッチパネルディスプレイ１２３は、入力装置としてのタッチパネルと表示装置としてのディスプレイとが組み合わされている。なお、各構成要素１１０〜１２３は、相互にデータバスによって接続されている。ＩＣカードリーダライタ１２０には、メモリカード１２０１が装着される。
【００２０】
ＣＰＵ１１０は、プログラムを実行する。ＲＯＭ１１１は、データを不揮発的に格納する。ＲＡＭ１１２は、ＣＰＵ１１１によるプログラムの実行により生成されたデータ、操作キー１１９を介して入力されたデータ、またはタッチパネルディスプレイ１２３を介して入力されたデータを一時的に格納する。ＲＡＭ１１２は、アプリケーションプログラムの作業領域であって、スタンバイ時およびフラッシュメモリ１１３への保存前のデータを保持する。フラッシュメモリ１１３は、携帯型電話機１０を動作させるプログラム、およびアプリケーションプログラムを格納している。また、フラッシュメモリ１１３は、メールおよび各種画像のデータ、文字およびキャラクタのデータを格納している。
【００２１】
通信回路１１４にはアンテナ１２４が接続される。携帯型電話機１０は、通信回路１１４およびアンテナ１２４により、携帯電話網を介した通信を行なう。つまり、アンテナ１２４は、基地局と通信を行なうためのアンテナである。
【００２２】
無線ＬＡＮ通信回路１１５にはアンテナ１２５が接続される。携帯型電話機１０は、無線ＬＡＮ通信回路１１５およびアンテナ１２５により、無線ＬＡＮを介した通信を行なう。つまり、アンテナ１２５は、無線ＬＡＮ用のアンテナである。
【００２３】
携帯型電話機１０における処理は、各ハードウェアおよびＣＰＵ１１０により実行されるソフトウェアによって実現される。このようなソフトウェアは、ＲＡＭ１１２、フラッシュメモリ１１３、またはＲＯＭ１１１に予め記憶されている場合がある。また、ソフトウェアは、メモリカード１２０１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１２０その他の読取装置によりその記憶媒体から読み取られて、あるいは、通信ＩＦを介してダウンロードされた後、フラッシュメモリ１１３に格納される。そのソフトウェアは、ＣＰＵ１１０によってフラッシュメモリ１１３から読み出され、さらにＲＡＭ１１２に実行可能なプログラムの形式で格納される。ＣＰＵ１１０は、そのプログラムを実行する。
【００２４】
なお、記録媒体は、当該プログラム等をコンピュータが読取可能な一時的でない媒体であればよく、メモリカード１２０１に限らない。また、ここでいうプログラムとは、ＣＰＵにより直接実行可能なプログラムだけでなく、ソースプログラム形式のプログラム、圧縮処理されたプログラム、暗号化されたプログラム等を含む。
【００２５】
＜携帯型電話機の外観＞
図３は、携帯型電話機１０の外観を示した図である。図３（ａ）は、携帯型電話機１０の正面図である。図３（ｂ）は、携帯型電話機１０の背面図である。図３（ｃ）は、携帯型電話機１０の正面図であって、イヤホン１２１を携帯型電話機１０の本体部１０１から
引き出した状態を示した図である。
【００２６】
図３（ａ）を参照して、携帯型電話機１０は、本体部１０１と、クリップ部１０２と、イヤホン１２１と備える。本体部１０１は、検査用カメラ１１７と、マイクロフォン１１８と、操作キー１１９と、スピーカ１２２と、タッチパネルディスプレイ１２３とを備える。マイクロフォン１１８、操作キー１１９、スピーカ１２２、およびタッチパネルディスプレイ１２３は、本体部１０１の側面に備えられている。また、携帯型電話機１０は、着信に基づき振動するバイブレータ機構（図示せず）を備える。
【００２７】
クリップ部１０２は、携帯型電話機１０の後端部側（つまり、ペン先に相当する先端部とは反対側）に配されている。具体的には、クリップ部１０２は、本体部１０１の側面であって、先端部から離れた位置に配されている。
【００２８】
イヤホン１２１は、本体部１０１に電気的に接続されている。イヤホン１２１は、携帯型電話機１０の後端部側に配されている。具体的には、イヤホン１２１は、本体部１０１の一方の端部に、本体部１０１に対して着脱可能に装着されている。
【００２９】
マイクロフォン１１８およびスピーカ１２２は、携帯型電話機１０の後端部側に配されている。具体的には、マイクロフォン１１８およびスピーカ１２２は、本体部１０１の側面であって、先端部から離れた位置に配されている。スピーカ１２２は、着信音、および受話した音声を出力する。
【００３０】
タッチパネルディスプレイ１２３は、各種のソフトウェアキーを表示する。ユーザが、タッチ操作によりソフトウェアキーを選択することにより、携帯型電話機１０は、選択されたソフトウェアキーに応じた機能を実行する。携帯型電話機１０は、ソフトウェアキーの選択により、たとえば、通常の動作モード（たとえば、携帯型電話機の待ち受けモード）から、検査用カメラ１１７による撮像を実行するモードに移行することができる。
【００３１】
検査用カメラ１１７は、レンズを有し、被写体（回路素子９１）を当該レンズによって拡大することにより得られる当該被写体の像を画像データとしてフラッシュメモリ１１３に格納する。当該レンズは、携帯型電話機１０の先端部に配されている。つまり、携帯型電話機１０は、ペン先に相当する先端部に検査用カメラ１１７のレンズを有する。また、当該レンズの光軸１７０の方向は、携帯型電話機１０の長手方向１８０と同一方向である。
【００３２】
検査用カメラ１１７は、回路基板の検査に用いることが可能なカメラである。検査用カメラ１１７は、小型、高倍率、高コントラスト、深い被写界深度、高解像度であることが好ましい。検査用カメラ１１７は、いわゆるミクロ検査用のカメラである。
【００３３】
図３（ｂ）を参照して、携帯型電話機１０は、本体部１０１にカメラ１１６を備える。より具体的には、携帯型電話機１０は、タッチパネルディスプレイ１２３とは反対側の側面にカメラ１１６を備える。カメラ１１６は、従来の携帯型電話機に備えられているカメラである。
【００３４】
図３（ｃ）を参照して、イヤホン１２１は、本体部１０１に電気コード１２１１で接続されている。電気コード１２１１は、本体部１０１に収納可能である（図３（ａ）参照）。このような構成により、ユーザは、イヤホン１２１を本体部１０１から取り外した状態で、イヤホン１２１を使用することができる。本体部１０１は、電気コード１２１１を巻き取る機能を備えていることが好ましい。
【００３５】
図４は、クリップ部１０２の拡大図である。図４を参照して、クリップ部１０２は、アンテナ１２４とアンテナ１２５とを内蔵している。つまり、クリップ部１０２は、基地局と通信を行なうためのアンテナの役割、および無線ＬＡＮ用のアンテナの役割を果たす。
【００３６】
＜機能的構成＞
図５は、携帯型電話機１０のブロックをより詳しく説明するための図である。具体的には、図５は、主として、携帯型電話機１０の機能ブロックを説明するための図である。図５を参照して、制御部１１と、記憶装置１２と、タッチパネルディスプレイ１２３と、検査用カメラ１１７と、カメラ１１６と、アンテナ１２４と、通信回路１１４と、アンテナ１２５と、無線ＬＡＮ通信回路１１５とを備えている。
【００３７】
制御部１１は、画像データ処理部２１と、倍率指示部２２と、ピント指示部２３と、画像データ処理部３１と、通信制御部４１と、表示制御部５１とを備える。検査用カメラ１１７は、レンズ１１７１と、レンズ駆動部１１７２とを有する。タッチパネルディスプレイ１２３は、タッチパネル１２３１と液晶パネル１２３２とを有する。記憶装置１２は、ＲＯＭ１１１、ＲＡＭ１１２、およびフラッシュメモリ１１３に対応する。
【００３８】
なお、第１撮像部２０は、検査用カメラ１１７と、画像データ処理部２１と、倍率指示部２２と、ピント指示部２３とを含む。第２撮像部３０は、カメラ１１６と、画像データ処理部３１とを含む。通信部４０は、アンテナ１２４と、通信回路１１４と、アンテナ１２５と、無線ＬＡＮ通信回路１１５と、通信制御部４１とを含む。
【００３９】
ここで、制御部１１内の各部２１〜２３、３１、４１、５１は、機能ブロックである。各機能ブロックは、具体的には、ＣＰＵ１１０がＲＡＭ１１２、フラッシュメモリ１１３等に格納されたプログラムを実行することにより実現される。なお、各機能ブロックは、ハードウェアによっても実現可能である。以下、制御部１１の各部の処理について説明する。
【００４０】
画像データ処理部２１は、検査用カメラ１１７が撮像した画像データに対して所定の画像処理を行なう。具体的には、画像データ処理部２１は、画像エンジンの機能を果たす。より詳しくは、画像データ処理部２１は、検査用カメラ１１７の撮像素子（図示）からの電気信号を加工して画像データ（画像ファイル）に変換する。画像データ処理部２１は、画像データを記憶装置１２に格納する。
【００４１】
倍率指示部２２は、タッチパネルディスプレイ１２３のタッチパネル１２３１に対する入力に基づき、第１撮像部２０の撮像倍率を変更するための指示をレンズ駆動部１１７２に送る。レンズ駆動部１１７２は、当該指示に基づき、レンズ１１７１の位置を移動する。
【００４２】
ピント指示部２３は、タッチパネル１２３１に対する入力に基づき、第１撮像部２０におけるピント合わせを行なうための指示をレンズ駆動部１１７２に送る。レンズ駆動部１１７２は、当該指示に基づき、レンズ１１７１の位置を移動する。
【００４３】
このように、携帯型電話機１０は、タッチパネルディスプレイ１２３に対する入力に基づき、第１撮像部２０における撮像倍率の変更およびピント合わせ処理を行なう。なお、第１撮像部２０における撮像倍率の変更およびピント合わせ処理は、携帯型電話機１０のユーザが手動で行なえる構成としてもよい。あるいは、撮像倍率の変更およびピント合わせ処理のいずれか一方を自動で行なう構成としもよい。
【００４４】
画像データ処理部３１は、カメラ１１６が撮像した画像データに対して所定の画像処理
を行なう。具体的には、画像データ処理部３１は、画像エンジンの機能を果たす。より詳しくは、画像データ処理部３１は、カメラ１１６の撮像素子（図示）からの電気信号を加工して画像データ（画像ファイル）に変換する。画像データ処理部３１は、画像データを記憶装置１２に格納する。
【００４５】
通信制御部４１は、携帯電話網を介した他の機器（たとえば、他の携帯型電話機）との通信、および無線ＬＡＮを介した他の機器（たとえば、パーソナルコンピュータ８０）との通信を制御する。
【００４６】
通信制御部４１は、第１撮像部２０が記憶装置１２に格納した画像データを、リアルタイムに無線でパーソナルコンピュータ８０に送信する。通信制御部４１は、画像データ処理部２１が記憶装置１２に画像を格納したことに基づき、当該画像を記憶装置から読み出す。そして、通信制御部４１は、無線ＬＡＮ用のアンテナ１２５を介して無線ＬＡＮにより、当該読み出した画像データをパーソナルコンピュータ８０に送信する。なお、パーソナルコンピュータ８０は、携帯型電話機１０から受信した画像データをディスプレイに表示する。
【００４７】
表示制御部５１は、各種の情報をタッチパネルディスプレイ１２３の液晶パネル１２３２に表示させる。
【００４８】
＜制御構造＞
図６は、携帯型電話機１０における処理の流れを示したフローチャートである。図６を参照して、ステップＳ２において、携帯型電話機１０は、回路基板９０を検査用カメラ１１７で撮像する。ステップＳ４において、携帯型電話機１０は、撮像により得られた画像データを記憶装置１２に格納する。ステップＳ６において、携帯型電話機１０は、パーソナルコンピュータ８０に対して、記憶装置１２に格納した画像データを送信する。
【００４９】
＜まとめ＞
（１）以上のように、携帯型電話機１０は、ペン型形状を有する携帯型電話機である。携帯型電話機１０は、レンズ１１７１を有し、被写体（回路基板９０の回路素子９１）を当該レンズ１１７１によって拡大することにより得られる当該被写体の像を画像データとして記憶装置１２に格納する第１撮像部２０と、格納した画像データを、無線にてパーソナルコンピュータ８０に送信する通信部４０とを備える。携帯型電話機１０は、ペン先に相当する先端部にレンズ１１７１を有し、レンズ１１７１の光軸１７０の方向と携帯型電話機１０の長手方向１８０とが同一方向である。
【００５０】
したがって、携帯型電話機１０により撮像した被写体の拡大画像をパーソナルコンピュータ８０に送信することができる。このため、ユーザは、携帯型電話機１０とパーソナルコンピュータ８０とを準備することにより、検査したい対象物を検査したいときに検査することができる。すなわち、携帯型電話機１０により、簡易な構成で、基板等の検査対象を容易に検査可能となる。
【００５１】
また、レンズ１１７１の光軸１７０の方向と携帯型電話機１０の長手方向１８０とが同一方向である。このため、ユーザは、通常のペンを持つような状態（つまり、先端部が下向きとなる状態）で携帯型電話機１０を持つことにより、自然な姿勢で検査したい領域を検査することができる。
【００５２】
また、携帯型電話機１０を有線で接続する必要がない。このため、ユーザの操作性は有線で接続された構成よりも優れる。また、検査システムも小型化が可能となるとともに、コストダウンを図れる。
【００５３】
（２）携帯型電話機１０は、マイクロフォン１１８と、携帯型電話機１０の本体部１０１に電気コード１２１１で接続されたイヤホン１２１とをさらに備える。マイクロフォン１１８およびイヤホン１２１は、携帯型電話機１０の後端部側に配されている。電気コード１２１１は、本体部１０１に収納可能である。イヤホン１２１は、本体部１０１に対して着脱可能である。
【００５４】
したがって、たとえば、携帯型電話機１０を顔から離した位置（たとえば、胸ポケット）においても、後端部側を顔の方に向けた状態であれば、ハンズフリーの状態で、マイクロフォン１１８から音声を高いレベルで入力可能である。さらに、イヤホン１２１を本体部１０１から取り外して、ユーザが耳に差し込むことにより、携帯型電話機１０が顔から離れた位置であっても、ユーザは受話も可能となる。
【００５５】
（３）携帯型電話機１０は、本体部１０１に第２撮像部３０をさらに備える。したがって、ユーザは、風景や人物などの被写体を撮像可能となる。
【００５６】
（４）携帯型電話機１０は、後端部側にクリップ部１０２をさらに備える。クリップ部１０２は、基地局と通信を行なうためのアンテナ１２４と無線ＬＡＮ用のアンテナ１２５とを内蔵する。通信部４０は、無線ＬＡＮ用のアンテナ１２５を介して無線ＬＡＮにより画像データをパーソナルコンピュータ８０に送信する。
【００５７】
したがって、携帯型電話機１０はクリップ部１０２を備えるため、ユーザは、携帯型電話機１０を胸ポケット等に差し込んでおくことができる。
【００５８】
また、クリップ部１０２が基地局と通信を行なうためのアンテナ１２４と無線ＬＡＮ用のアンテナ１２５とを内蔵する。したがって、アンテナ１２４、１２５を本体部１０１に内蔵する必要がない。このため、本体部１０１を小型化可能となる。また、ポケットに携帯型電話機１０をクリップ部１０２で固定した場合であっても、アンテナ１２４、１２５は、ポケットの外部に位置する。それゆえ、アンテナ１２４、１２５を本体部１０１に内蔵した場合に比べて、アンテナ１２４，１２５の感度の低下を低減できる。
【００５９】
また、携帯型電話機１０は、無線ＬＡＮにて画像データをパーソナルコンピュータ８０に送信するため、比較的容量の大きい画像データ（動画像）であっても、リアルタイムに送信可能である。
【００６０】
（５）携帯型電話機１０は、本体部１０１にタッチパネルディスプレイ１２３をさらに備える。タッチパネルディスプレイ１２３に対する入力に基づき、第１撮像部２０における撮像倍率の変更および第１撮像部２０におけるピント合わせ処理のうち少なくとも１つを行なう。
【００６１】
したがって、ユーザは、タッチパネルディスプレイ１２３に対する操作により、撮像場率の変更、あるいはピント合わせの処理を行なうことができる。
【００６２】
（６）携帯型電話機１０では、本体部１０１の下部（先端部）に搭載した検査用カメラ１１７を、ユーザが検査したい箇所、検査したい物に向けて、倍率、焦点などをセットすると、細かい箇所、小さい物でも、パーソナルコンピュータ８０にて大きく表示できる。つまり、検査システム１をマイクロスコープとして、携帯型電話機１０をマイクロスコープのカメラ部として使用することができる。
【００６３】
また、携帯型電話機１０は、検査データとしての画像データをパーソナルコンピュータ
８０に送信するため、検査データのリアルタイムの管理が可能である。
【００６４】
また、携帯型電話機１０は、ペン型の形状を有し、かつクリップ部１０２を備える。このため、携帯型電話機１０は、携帯性に優れている。また、上述したように、イヤホン１２１を耳に差し込むことにより、ハンズフリー通話が可能となる。
【００６５】
＜変形例＞
（１）携帯型電話機１０は、撮像した画像を電子メールに添付して、パーソナルコンピュータ８０に送信してもよい。また、電子メールの宛先を変更することにより、パーソナルコンピュータ８０以外の電子機器にも送信可能である。
【００６６】
（２）携帯型電話機１０は、静止画を撮像し、当該静止画をパーソナルコンピュータ８０に送信してもよい。
【００６７】
（３）上記においては電子機器の一例として携帯型電話機１０を例に挙げて説明したが、これに限定されるものではない。少なくとも、第１撮像部２０で撮像した画像を通信相手の情報処理装置（パーソナルコンピュータ２０）に送信できる構成を備えた電子機器であればよい。また、情報処理装置の一例としてパーソナルコンピュータ２０を例に挙げて説明したが、これに限定されるものではない。電子機器から画像データを受信し、受信した画像データに基づく画像を自装置のディスプレイに表示可能な情報処理装置であればよい。
【００６８】
（４）今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００６９】
１検査システム、１０  携帯型電話機、１１  制御部、１２  記憶装置、２０  第１撮像部、２１  画像データ処理部、２２  倍率指示部、２３  ピント指示部、３０  第２撮像部、３１  画像データ処理部、４０  通信部、４１  通信制御部、５１  表示制御部、８０  パーソナルコンピュータ、９０  回路基板、９１  回路素子、１０１  本体部、１０２  クリップ部、１１３  フラッシュメモリ、１１４  通信回路、１１５  無線ＬＡＮ通信回路、１１６  カメラ、１１７  検査用カメラ、１１８  マイクロフォン、１１９  操作キー、１２０  カードリーダライタ、１２１  イヤホン、１２２  スピーカ、１２３
タッチパネルディスプレイ、１２４  アンテナ、１２５  アンテナ、１７０  光軸、１８０  長手方向、１１７１  レンズ、１２１１  電気コード。
【図１】
2011130075.tif 000003
【図２】
2011130075.tif 000004
【図３】
2011130075.tif 000005
【図４】
2011130075.tif 000006
【図５】
2011130075.tif 000007
【図６】
2011130075.tif 000008